(57)【特許請求の範囲】
【請求項１】
電力増幅器であって、前記電力増幅器は、
並列に接続されているｎ個のドハティ電力増幅ユニットと、ｎウェイアウトフェージングコンバイナとを備え、ｎ≧２であり、かつ、ｎは整数であり、
各ドハティ電力増幅ユニットは、１つの入力端および１つの出力端を有し、
前記ｎウェイアウトフェージングコンバイナは、ｎ個の入力端および１つの出力端を有し、
前記ドハティ電力増幅ユニットの前記出力端は、前記ｎウェイアウトフェージングコンバイナの前記入力端に別々に接続されており、
各ドハティ電力増幅ユニットは、ｍウェイドハティ電力増幅ユニットであり、前記ｍウェイドハティ電力増幅ユニットは、１つの一次電力増幅器および（ｍ−１）個のピーク電力増幅器を含み、ｍ≧２であり、かつ、ｍは整数であり、前記ドハティ電力増幅ユニットは、同じ数または異なる数のウェイを有し、
各ｍウェイドハティ電力増幅ユニットにおいて、前記一次電力増幅器は各ピーク電力増幅器に並列に接続されており、前記（ｍ−１）個のピーク電力増幅器は並列に接続されており、
前記ドハティ電力増幅ユニットの前記入力端は、入力信号を受信し、
前記ドハティ電力増幅ユニットにより受信された前記入力信号の電力が第１の電力閾値未満であり、かつ、前記ドハティ電力増幅ユニットにより受信された前記入力信号が非アウトフェージングである場合、前記電力増幅器は、各ドハティ電力増幅ユニットにおける前記一次電力増幅器および各ピーク電力増幅器を、動作状態になるようにトリガし、かつ、前記ｎウェイアウトフェージングコンバイナを、非アウトフェージング動作状態になるようにトリガし、
前記第１の電力閾値は、各ドハティ電力増幅ユニットにおける各ピーク電力増幅器の初期動作電力より大きく、
前記ドハティ電力増幅ユニットにより受信された前記入力信号の前記電力が前記第１の電力閾値より大きく、かつ、前記ドハティ電力増幅ユニットにより受信された前記入力信号がアウトフェージングである場合、前記電力増幅器は、各ドハティ電力増幅ユニットにおける前記一次電力増幅器および各ピーク電力増幅器を、動作状態になるようにトリガし、かつ、前記ｎウェイアウトフェージングコンバイナを、アウトフェージング動作状態になるようにトリガし、
前記非アウトフェージング動作状態は、前記ｎウェイアウトフェージングコンバイナが、前記入力端により受信された前記入力信号を直接組み合わせる動作状態であり、
前記アウトフェージング動作状態は、前記ｎウェイアウトフェージングコンバイナが、前記入力端により受信された前記入力信号に対して位相調整を実行し、その後に、前記入力信号を組み合わせる動作状態である、
電力増幅器。
【請求項２】
電力増幅器であって、前記電力増幅器は、
並列に接続されているｎ個のドハティ電力増幅ユニットと、ｎウェイアウトフェージングコンバイナとを備え、ｎ≧２であり、かつ、ｎは整数であり、
各ドハティ電力増幅ユニットは、１つの入力端および１つの出力端を有し、
前記ｎウェイアウトフェージングコンバイナは、ｎ個の入力端および１つの出力端を有し、
前記ドハティ電力増幅ユニットの前記出力端は、前記ｎウェイアウトフェージングコンバイナの前記入力端に別々に接続されており、
各ドハティ電力増幅ユニットは、ｍウェイドハティ電力増幅ユニットであり、前記ｍウェイドハティ電力増幅ユニットは、１つの一次電力増幅器および（ｍ−１）個のピーク電力増幅器を含み、ｍ≧２であり、かつ、ｍは整数であり、前記ドハティ電力増幅ユニットは、同じ数または異なる数のウェイを有し、
各ｍウェイドハティ電力増幅ユニットにおいて、前記一次電力増幅器は各ピーク電力増幅器に並列に接続されており、前記（ｍ−１）個のピーク電力増幅器は並列に接続されており、
前記ドハティ電力増幅ユニットの前記入力端は、入力信号を受信し、
前記ドハティ電力増幅ユニットにより受信された前記入力信号の電力が第２の電力閾値未満であり、かつ、前記ドハティ電力増幅ユニットにより受信された前記入力信号がアウトフェージングである場合、前記電力増幅器は、各ドハティ電力増幅ユニットにおける前記一次電力増幅器を、動作状態になるようにトリガし、かつ、前記ｎウェイアウトフェージングコンバイナを、アウトフェージング動作状態になるようにトリガし、
前記第２の電力閾値は、各ドハティ電力増幅ユニットにおける各ピーク電力増幅器の初期動作電力未満であり、
前記ドハティ電力増幅ユニットにより受信された前記入力信号の前記電力が前記第２の電力閾値より大きく、かつ、前記ドハティ電力増幅ユニットにより受信された前記入力信号が非アウトフェージングである場合、前記電力増幅器は、各ドハティ電力増幅ユニットにおける前記一次電力増幅器および各ピーク電力増幅器を、動作状態になるようにトリガし、かつ、前記ｎウェイアウトフェージングコンバイナを、非アウトフェージング動作状態になるようにトリガし、
前記非アウトフェージング動作状態は、前記ｎウェイアウトフェージングコンバイナが、前記入力端により受信された前記入力信号を直接組み合わせる動作状態であり、
前記アウトフェージング動作状態は、前記ｎウェイアウトフェージングコンバイナが、前記入力端により受信された前記入力信号に対して位相調整を実行して、その後に、前記入力信号を組み合わせる動作状態である、
電力増幅器。
【請求項３】
前記ｍウェイドハティ電力増幅ユニットは、２ウェイ対称型ドハティ電力増幅ユニットであり、前記２ウェイ対称型ドハティ電力増幅ユニットは、１つの一次電力増幅器および１つのピーク電力増幅器を含み、同じ電力を有するトランジスタが、前記一次電力増幅器および前記ピーク電力増幅器において用いられる、または、
前記ｍウェイドハティ電力増幅ユニットは、２ウェイ非対称型ドハティ電力増幅ユニットであり、前記２ウェイ非対称型ドハティ電力増幅ユニットは、１つの一次電力増幅器および１つのピーク電力増幅器を含み、異なる電力を有するトランジスタが、前記一次電力増幅器および前記ピーク電力増幅器において用いられる、請求項１または２に記載の電力増幅器。
【請求項４】
前記ｎウェイアウトフェージングコンバイナは、チャイレックスコンバイナである、請求項１から３のいずれか一項に記載の電力増幅器。
【請求項５】
請求項１に記載の電力増幅器に適用される電力増幅方法であって、前記電力増幅方法は、
前記ドハティ電力増幅ユニットの前記入力端によって、入力信号を受信する段階と、
前記入力信号の電力に従って、前記ドハティ電力増幅ユニットおよび前記ｎウェイアウトフェージングコンバイナのうちの全てまたは一部を、動作状態になるようにトリガする段階と
を備え、
前記入力信号の電力に従って、前記ドハティ電力増幅ユニットおよび前記ｎウェイアウトフェージングコンバイナのうちの全てまたは一部を、動作状態になるようにトリガする前記段階は、
前記ドハティ電力増幅ユニットにより受信された前記入力信号の前記電力が第１の電力閾値未満であり、かつ、前記ドハティ電力増幅ユニットにより受信された前記入力信号が非アウトフェージングである場合、各ドハティ電力増幅ユニットにおける前記一次電力増幅器および各ピーク電力増幅器を、動作状態になるようにトリガし、かつ、前記ｎウェイアウトフェージングコンバイナを、非アウトフェージング動作状態になるようにトリガする段階であって、前記第１の電力閾値は、各ドハティ電力増幅ユニットにおける各ピーク電力増幅器の初期動作電力より大きい、段階と、
前記ドハティ電力増幅ユニットにより受信された前記入力信号の前記電力が前記第１の電力閾値より大きく、かつ、前記ドハティ電力増幅ユニットにより受信された前記入力信号がアウトフェージングである場合、各ドハティ電力増幅ユニットにおける前記一次電力増幅器および各ピーク電力増幅器を、動作状態になるようにトリガし、かつ、前記ｎウェイアウトフェージングコンバイナを、アウトフェージング動作状態になるようにトリガする段階とを含み、
前記非アウトフェージング動作状態は、前記ｎウェイアウトフェージングコンバイナが、前記入力端により受信された前記入力信号を直接組み合わせる動作状態であり、
前記アウトフェージング動作状態は、前記ｎウェイアウトフェージングコンバイナが、前記入力端により受信された前記入力信号に対して位相調整を実行し、そして、前記入力信号を組み合わせる動作状態である、
電力増幅方法。
【請求項６】
請求項２に記載の電力増幅器に適用される電力増幅方法であって、前記電力増幅方法は、
前記ドハティ電力増幅ユニットの前記入力端によって、入力信号を受信する段階と、
前記入力信号の電力に従って、前記ドハティ電力増幅ユニットおよび前記ｎウェイアウトフェージングコンバイナのうちの全てまたは一部を、動作状態になるようにトリガする段階と
を備え、
前記入力信号の電力に従って、前記ドハティ電力増幅ユニットおよび前記ｎウェイアウトフェージングコンバイナのうちの全てまたは一部を、動作状態になるようにトリガする前記段階は、
前記ドハティ電力増幅ユニットにより受信された前記入力信号の前記電力が第２の電力閾値未満であり、かつ、前記ドハティ電力増幅ユニットにより受信された前記入力信号がアウトフェージングである場合、各ドハティ電力増幅ユニットにおける前記一次電力増幅器を、動作状態になるようにトリガし、かつ、前記ｎウェイアウトフェージングコンバイナを、アウトフェージング動作状態になるようにトリガする段階であって、前記第２の電力閾値は、各ドハティ電力増幅ユニットにおける各ピーク電力増幅器の初期動作電力未満である、段階と、
前記ドハティ電力増幅ユニットにより受信された前記入力信号の前記電力が前記第２の電力閾値より大きく、かつ、前記ドハティ電力増幅ユニットにより受信された前記入力信号が非アウトフェージングである場合、各ドハティ電力増幅ユニットにおける前記一次電力増幅器および各ピーク電力増幅器を、動作状態になるようにトリガし、かつ、前記ｎウェイアウトフェージングコンバイナを、非アウトフェージング動作状態になるようにトリガする段階とを含み、
前記非アウトフェージング動作状態は、前記ｎウェイアウトフェージングコンバイナが、前記入力端により受信された前記入力信号を直接組み合わせる動作状態であり、
前記アウトフェージング動作状態は、前記ｎウェイアウトフェージングコンバイナが、前記入力端により受信された前記入力信号に対して位相調整を実行して、その後に、前記入力信号を組み合わせる動作状態である、 電力増幅方法。
【請求項７】
信号制御システムに適用される電力増幅制御装置であって、前記信号制御システムは、請求項１に記載の電力増幅器のためにｎ個の入力信号を提供し、ｎ≧２であり、かつ、ｎは整数であり、前記電力増幅制御装置は、
前記電力増幅器の動作モードに従って、前記電力増幅器に対応する電力閾値を決定する処理モジュールであって、前記電力閾値は、前記ｎ個の入力信号の電力が前記電力閾値に達した場合に、前記ｎ個の入力信号を、ｎ個の非アウトフェージング入力信号またはｎ個のアウトフェージング入力信号になるように調整するように、前記信号制御システムに命令するために用いられ、前記処理モジュールはさらに、前記ｎ個の入力信号の前記電力が前記電力閾値に達した場合に、前記ｎ個の入力信号を、前記ｎ個の非アウトフェージング入力信号またはｎ個のアウトフェージング入力信号になるように調整する、処理モジュールと、
前記ｎ個の調整された入力信号を前記ドハティ電力増幅ユニットの前記入力端へ別々に送信する送信モジュールと
を備え、
前記電力増幅器の前記動作モードは、第１の動作モードであり、前記対応する電力閾値は、第１の電力閾値であり、前記第１の電力閾値は、各ドハティ電力増幅ユニットにおける各ピーク電力増幅器の初期動作電力より大きく、
前記処理モジュールはさらに、前記ｎ個の入力信号の前記電力が前記第１の電力閾値に達した場合、前記ｎ個の入力信号を、前記ｎ個のアウトフェージング入力信号になるように調整する、
電力増幅制御装置。
【請求項８】
前記処理モジュールはさらに、前記ｎ個の入力信号の前記電力が、前記第１の電力閾値に達していない場合、前記ｎ個の入力信号を、前記ｎ個の非アウトフェージング入力信号になるように調整する、請求項７に記載の電力増幅制御装置。
【請求項９】
信号制御システムに適用される電力増幅制御装置であって、前記信号制御システムは、請求項２に記載の電力増幅器のためにｎ個の入力信号を提供し、ｎ≧２であり、かつ、ｎは整数であり、前記電力増幅制御装置は、
前記電力増幅器の動作モードに従って、前記電力増幅器に対応する電力閾値を決定する処理モジュールであって、前記電力閾値は、前記ｎ個の入力信号の電力が前記電力閾値に達した場合に、前記ｎ個の入力信号を、ｎ個の非アウトフェージング入力信号またはｎ個のアウトフェージング入力信号になるように調整するように、前記信号制御システムに命令するために用いられ、前記処理モジュールはさらに、前記ｎ個の入力信号の前記電力が前記電力閾値に達した場合に、前記ｎ個の入力信号を、前記ｎ個の非アウトフェージング入力信号またはｎ個のアウトフェージング入力信号になるように調整する、処理モジュールと、
前記ｎ個の調整された入力信号を前記ドハティ電力増幅ユニットの前記入力端へ別々に送信する送信モジュールと
を備え、
前記電力増幅器の前記動作モードは、第２の動作モードであり、前記対応する電力閾値は、第２の電力閾値であり、前記第２の電力閾値は、各ドハティ電力増幅ユニットにおける各ピーク電力増幅器の初期動作電力未満であり、
前記処理モジュールはさらに、前記ｎ個の入力信号の前記電力が前記第２の電力閾値に達した場合、前記ｎ個の入力信号を、前記ｎ個の非アウトフェージング入力信号になるように調整する、
電力増幅制御装置。
【請求項１０】
前記処理モジュールはさらに、前記ｎ個の入力信号の前記電力が前記第２の電力閾値に達していない場合、前記ｎ個の入力信号を、前記ｎ個のアウトフェージング入力信号になるように調整する、請求項９に記載の電力増幅制御装置。
【請求項１１】
信号制御システムに適用される電力増幅制御方法であって、前記信号制御システムは、請求項１に記載の電力増幅器のためにｎ個の入力信号を提供し、ｎ≧２であり、かつ、ｎは整数であり、前記電力増幅制御方法は、
前記電力増幅器の動作モードに従って、前記電力増幅器に対応する電力閾値を決定する段階であって、前記電力閾値は、前記ｎ個の入力信号の電力が前記電力閾値に達した場合、前記ｎ個の入力信号を、ｎ個の非アウトフェージング入力信号またはｎ個のアウトフェージング入力信号になるように調整するように、前記信号制御システムに命令するために用いられる、段階と、
前記ｎ個の入力信号の前記電力が前記電力閾値に達した場合、前記ｎ個の入力信号を、前記ｎ個の非アウトフェージング入力信号または前記ｎ個のアウトフェージング入力信号になるように調整する段階と、
前記ｎ個の調整された入力信号を、前記ドハティ電力増幅ユニットの前記入力端へ別々に送信する段階と
を備え、
前記電力増幅器の前記動作モードは、第１の動作モードであり、前記対応する電力閾値は、第１の電力閾値であり、前記第１の電力閾値は、各ドハティ電力増幅ユニットにおける各ピーク電力増幅器の初期動作電力より大きく、
前記ｎ個の入力信号の前記電力が前記電力閾値に達した場合、前記ｎ個の入力信号を、前記ｎ個の非アウトフェージング入力信号または前記ｎ個のアウトフェージング入力信号になるように調整する前記段階は、
前記ｎ個の入力信号の前記電力が前記第１の電力閾値に達した場合、前記ｎ個の入力信号を、前記ｎ個のアウトフェージング入力信号になるように調整する段階を含む、
電力増幅制御方法。
【請求項１２】
前記電力増幅制御方法はさらに、前記ｎ個の入力信号の前記電力が前記第１の電力閾値に達していない場合、前記ｎ個の入力信号を、前記ｎ個の非アウトフェージング入力信号になるように調整する段階を備える、請求項１１に記載の電力増幅制御方法。
【請求項１３】
信号制御システムに適用される電力増幅制御方法であって、前記信号制御システムは、請求項２に記載の電力増幅器のためにｎ個の入力信号を提供し、ｎ≧２であり、かつ、ｎは整数であり、前記電力増幅制御方法は、
前記電力増幅器の動作モードに従って、前記電力増幅器に対応する電力閾値を決定する段階であって、前記電力閾値は、前記ｎ個の入力信号の電力が前記電力閾値に達した場合、前記ｎ個の入力信号を、ｎ個の非アウトフェージング入力信号またはｎ個のアウトフェージング入力信号になるように調整するように、前記信号制御システムに命令するために用いられる、段階と、
前記ｎ個の入力信号の前記電力が前記電力閾値に達した場合、前記ｎ個の入力信号を、前記ｎ個の非アウトフェージング入力信号または前記ｎ個のアウトフェージング入力信号になるように調整する段階と、
前記ｎ個の調整された入力信号を、前記ドハティ電力増幅ユニットの前記入力端へ別々に送信する段階と
を備え、
前記電力増幅器の前記動作モードは、第２の動作モードであり、前記対応する電力閾値は、第２の電力閾値であり、前記第２の電力閾値は、各ドハティ電力増幅ユニットにおける各ピーク電力増幅器の初期動作電力未満であり、
前記ｎ個の入力信号の前記電力が前記電力閾値に達した場合、前記ｎ個の入力信号を、前記ｎ個の非アウトフェージング入力信号または前記ｎ個のアウトフェージング入力信号になるように調整する前記段階は、
前記ｎ個の入力信号の前記電力が前記第２の電力閾値に達した場合、前記ｎ個の入力信号を、前記ｎ個の非アウトフェージング入力信号になるように調整する段階を含む、
電力増幅制御方法。
【請求項１４】
前記電力増幅制御方法はさらに、前記ｎ個の入力信号の前記電力が前記第２の電力閾値に達していない場合、前記ｎ個の入力信号を、前記ｎ個のアウトフェージング入力信号になるように調整する段階を備える、請求項１３に記載の電力増幅制御方法。
【発明の詳細な説明】
【技術分野】
【０００１】
本発明は、電力増幅器の分野に関し、特に、電力増幅器、電力増幅方法、ならびに電力増幅制御装置および方法に関する。
【背景技術】
【０００２】
無線周波数信号トランシーバとして、無線基地局が、電力増幅器（英語表記：Ｐｏｗｅｒ  Ａｍｐｌｉｆｉｅｒ、略してＰＡ）を用いることによって、入力信号を増幅し、送信機を用いることによって、増幅された入力信号を伝送するよう構成される。電力増幅器は、無線基地局においてもっとも電力を消費する構成要素であり、電力増幅器の効率が、無線基地局全体の消費電力を直接影響する。
【０００３】
ドハティ（英語表記：Ｄｏｈｅｒｔｙ）電力増幅器が通常、既存の無線基地局において用いられ、無線基地局の消費電力を低減させる。
【０００４】
ドハティ電力増幅器は、一次電力増幅器と、少なくとも１つのピーク電力増幅器とを備える。一次電力増幅器は、各ピーク電力増幅器に並列に接続されている。ドハティ電力増幅器の動作原則は、一次電力増幅器および各ピーク電力増幅器が、アクティブロードプル技術を用いることによって、これらの飽和領域において動作できることであり、それにより、ドハティ電力増幅器全体が、可能な限り広い入力電力範囲内に比較的高効率性を有することを確保する。
【０００５】
本発明を実装するプロセスにおいて、従来技術が少なくとも以下の問題を有することが分かった。
【０００６】
既存のアーキテクチャを有するドハティ電力増幅器が、高効率性を維持するために用いられる場合、対応する入力電力変動範囲は、比較的小さく、かつ、消費電力は、入力電力変動範囲が比較的大きいとき、増加する。このことは、無線基地局が消費電力に対する要求を満たすことができない。
【発明の概要】
【０００７】
既存のアーキテクチャを有するドハティ電力増幅器が高効率性を維持するために用いられる場合、対応する入力電力変動範囲は比較的小さく、かつ、消費電力は入力電力変動範囲が比較的大きいとき、増加するといった従来技術における問題を解決するために、本発明の実施形態は、電力増幅器、電力増幅方法、ならびに電力増幅制御方法および装置を提供する。技術的解決手段は、以下の通りである。
【０００８】
第１の態様によれば、電力増幅器が提供され、当該電力増幅器は、並列に接続されているｎ個のドハティ電力増幅ユニットと、ｎウェイアウトフェージング（英語表記：Ｏｕｔｐｈａｓｉｎｇ）コンバイナとを備え、ここで、ｎ≧２であり、かつ、ｎは整数である。各ドハティ電力増幅ユニットは、１つの入力端と、１つの出力端を有し、ｎウェイアウトフェージングコンバイナは、ｎ個の入力端および１つの出力端を含み、ドハティ電力増幅ユニットの出力端は、ｎウェイアウトフェージングコンバイナの入力端に別々に接続されている。
【０００９】
第１の態様の第１の可能な実装方式において、各ドハティ電力増幅ユニットは、ｍウェイドハティ電力増幅ユニットであり、ｍウェイドハティ電力増幅ユニットは、１つの一次電力増幅器および（ｍ−１）個のピーク電力増幅器を有し、ここで、ｍ≧２であり、かつ、ｍは整数であり、ドハティ電力増幅ユニットは、同じ数または異なる数のウェイを有する。各ｍウェイドハティ電力増幅ユニットにおいて、一次電力増幅器は、各ピーク電力増幅器に並列に接続されており、ピーク電力増幅器は、並列に接続されている。
【００１０】
第１の態様の第１の可能な実装方式に関連して、第１の態様の第２の可能な実装方式において、ｍウェイドハティ電力増幅ユニットは、２ウェイ対称型ドハティ電力増幅ユニットであり、２ウェイ対称型ドハティ電力増幅ユニットは、１つの一次電力増幅器と、１つのピーク電力増幅器とを含み、同じ電力を有するトランジスタが、一次電力増幅器およびピーク電力増幅器において用いられる、または、ｍウェイドハティ電力増幅ユニットは、２ウェイ非対称型ドハティ電力増幅ユニットであり、２ウェイ非対称型ドハティ電力増幅ユニットは、１つの一次電力増幅器と、１つのピーク電力増幅器とを有し、異なる電力を有するトランジスタが、一次電力増幅器およびピーク電力増幅器において用いられる。
【００１１】
第１の態様、第１の態様の第１の可能な実装方式、および第１の態様の第２の可能な実装方式に関連して、第１の態様の第３の可能な実装方式において、ｎウェイアウトフェージングコンバイナは、チャイレックス（英語表記：Ｃｈｉｒｅｉｘ）コンバイナである。
【００１２】
第２の態様によれば、電力増幅方法が提供され、第１の態様に係る電力増幅器に適用され、当該方法は、ドハティ電力増幅ユニットの入力端によって入力信号を受信する段階と、入力信号の電力に従って、ドハティ電力増幅ユニットおよびｎウェイアウトフェージングコンバイナのうちの全てまたは一部を、動作状態になるようにトリガする段階とを備える。
【００１３】
第２の態様の第１の可能な実装方式において、入力信号の電力に従って、ドハティ電力増幅ユニットおよびｎウェイアウトフェージングコンバイナのうちの全てまたは一部を、動作状態になるようにトリガする段階は、ドハティ電力増幅ユニットにより受信された入力信号の電力が第１の電力閾値未満であり、かつ、ドハティ電力増幅ユニットにより受信された入力信号が非アウトフェージングである場合、各ドハティ電力増幅ユニットにおける一次電力増幅器および各ピーク電力増幅器を、動作状態になるようにトリガし、かつ、ｎウェイアウトフェージングコンバイナを、非アウトフェージング動作状態になるようにトリガする段階であって、第１の電力閾値は、各ドハティ電力増幅ユニットにおける各ピーク電力増幅器の初期動作電力より大きい、段階と、ドハティ電力増幅ユニットにより受信された入力信号の電力が第１の電力閾値よりより大きく、かつ、ドハティ電力増幅ユニットにより受信された入力信号がアウトフェージングである場合、各ドハティ電力増幅ユニットにおける一次電力増幅器および各ピーク電力増幅器を、動作状態になるようにトリガし、かつ、ｎウェイアウトフェージングコンバイナを、アウトフェージング動作状態になるようにトリガする段階とを含み、非アウトフェージング動作状態は、ｎウェイアウトフェージングコンバイナが入力端により受信された信号を直接組み合わせる動作状態であり、アウトフェージング動作状態は、ｎウェイアウトフェージングコンバイナが入力端により受信された信号に対して位相調整を実行し、その後に、当該信号を組み合わせる動作状態である。
【００１４】
第２の態様の第２の可能な実装方式において、入力信号の電力に従って、ドハティ電力増幅ユニットおよびｎウェイアウトフェージングコンバイナのうちの全てまたは一部を、動作状態になるようにトリガする段階は、ドハティ電力増幅ユニットにより受信された入力信号の電力が第２の電力閾値未満であり、かつ、ドハティ電力増幅ユニットにより受信された入力信号がアウトフェージングである場合、各ドハティ電力増幅ユニットにおける一次電力増幅器を、動作状態になるようにトリガし、かつ、ｎウェイアウトフェージングコンバイナを、非アウトフェージング動作状態になるようにトリガする段階であって、第２の電力閾値は、各ドハティ電力増幅ユニットにおける各ピーク電力増幅器の初期動作電力未満である、段階と、ドハティ電力増幅ユニットにより受信された入力信号の電力が第２の電力閾値より大きく、かつ、ドハティ電力増幅ユニットにより受信された入力信号が非アウトフェージングである場合、各ドハティ電力増幅ユニットにおける一次電力増幅器および各ピーク電力増幅器を、動作状態になるようにトリガし、かつ、ｎウェイアウトフェージングコンバイナを、非アウトフェージング動作状態になるようにトリガする段階を含み、非アウトフェージング動作状態は、ｎウェイアウトフェージングコンバイナが入力端により受信された信号を直接組み合わせる動作状態であり、アウトフェージング動作状態は、ｎウェイアウトフェージングコンバイナが入力端により受信された信号に対して位相調整を実行し、その後に、当該信号を組み合わせる動作状態である。
【００１５】
第３の態様によれば、電力増幅制御装置が提供され、信号制御システムに適用される。信号制御システムは、第１の態様に係る電力増幅器のためにｎ個の入力信号を提供するよう構成され、ここで、ｎ≧２であり、かつ、ｎは整数であり、当該装置は、電力増幅器の動作モードに従って、電力増幅器に対応する電力閾値を決定するよう構成される処理モジュールであって、電力閾値は、ｎ個の入力信号の電力が電力閾値に達した場合、ｎ個の入力信号を、ｎ個の非アウトフェージング入力信号またはｎ個のアウトフェージング入力信号になるように調整するように、信号制御システムに命令するために用いられ、処理モジュールはさらに、ｎ個の入力信号の電力が電力閾値に達した場合、ｎ個の入力信号を、ｎ個の非アウトフェージング入力信号またはｎ個のアウトフェージング入力信号になるように調整するよう構成される、処理モジュールと、ｎ個の調整された入力信号をドハティ電力増幅ユニットの入力端へ別々に送信するよう構成される送信モジュールとを備える。
【００１６】
第３の態様の第１の可能な実装方式において、電力増幅器の動作モードは、第１の動作モードであり、対応する電力閾値は、第１の電力閾値であり、ここで、第１の電力閾値は、各ドハティ電力増幅ユニットにおける各ピーク電力増幅器の初期動作電力より大きい。処理モジュールはさらに、ｎ個の入力信号の電力が第１の電力閾値に達した場合、ｎ個の入力信号を、ｎ個のアウトフェージング入力信号になるように調整するよう構成される。
【００１７】
第３の態様の第１の可能な実装方式に関連して、第３の態様の第２の可能な実装方式において、処理モジュールはさらに、ｎ個の入力信号の電力が第１の電力閾値に達していない場合、ｎ個の入力信号を、ｎ個の非アウトフェージング入力信号になるように調整するよう構成される。
【００１８】
第３の態様の第３の可能な実装方式において、電力増幅器の動作モードは、第２の動作モードであり、対応する電力閾値は、第２の電力閾値であり、ここで、第２の電力閾値は、各ドハティ電力増幅ユニットにおける各ピーク電力増幅器の初期動作電力未満である。処理モジュールはさらに、ｎ個の入力信号の電力が第２の電力閾値に達した場合、ｎ個の入力信号を、ｎ個の非アウトフェージング入力信号になるように調整するよう構成される。
【００１９】
第３の態様の第３の可能な実装方式に関連して、第３の態様の第４の可能な実装方式において、処理モジュールはさらに、ｎ個の入力信号の電力が第２の電力閾値に達していない場合、ｎ個の入力信号を、ｎ個のアウトフェージング入力信号になるように調整するよう構成される。
【００２０】
第４の態様によれば、電力増幅制御装置が提供され、信号制御システムに適用される。信号制御システムは、第１の態様に係る電力増幅器のためにｎ個の入力信号を提供するよう構成され、ここで、ｎ≧２であり、かつ、ｎは整数であり、当該装置は、電力増幅器の動作モードに従って、電力増幅器に対応する電力閾値を決定するよう構成されるプロセッサであって、電力閾値は、ｎ個の入力信号の電力が電力閾値に達した場合、ｎ個の入力信号を、ｎ個の非アウトフェージング入力信号またはｎ個のアウトフェージング入力信号になるように調整するように、信号制御システムに命令するために用いられる、プロセッサを備え、ここで、プロセッサはさらに、ｎ個の入力信号の電力が電力閾値に達した場合、ｎ個の入力信号を、ｎ個の非アウトフェージング入力信号またはｎ個のアウトフェージング入力信号になるように調整するよう構成され、プロセッサはさらに、ｎ個の調整された入力信号をドハティ電力増幅ユニットの入力端へ別々に送信するように、トランシーバを制御するよう構成される。
【００２１】
第４の態様の第１の可能な実装方式において、電力増幅器の動作モードは、第１の動作モードであり、対応する電力閾値は、第１の電力閾値であり、ここで、第１の電力閾値は、各ドハティ電力増幅ユニットにおける各ピーク電力増幅器の初期動作電力より大きい。プロセッサはさらに、ｎ個の入力信号の電力が第１の電力閾値に達した場合、ｎ個の入力信号をｎ個のアウトフェージング入力信号になるように調整するよう構成される。
【００２２】
第４の態様の第１の可能な実装方式に関連して、第４の態様の第２の可能な実装方式において、プロセッサはさらに、ｎ個の入力信号の電力が第１の電力閾値に達していない場合、ｎ個の入力信号を、ｎ個の非アウトフェージング入力信号になるように調整するよう構成される。
【００２３】
第４の態様に関連して、第４の態様の第３の可能な実装方式において、電力増幅器の動作モードは、第２の動作モードであり、対応する電力閾値は、第２の電力閾値であり、ここで、第２の電力閾値は、各ドハティ電力増幅ユニットにおける各ピーク電力増幅器の初期動作電力未満である。プロセッサはさらに、ｎ個の入力信号の電力が第２の電力閾値に達した場合、ｎ個の入力信号を、ｎ個の非アウトフェージング入力信号になるように調整する構成される。
【００２４】
第４の態様の第３の可能な実装方式に関連して、第４の態様の第４の可能な実装方式において、プロセッサはさらに、ｎ個の入力信号の電力が第２の電力閾値に達していない場合、ｎ個の入力信号を、ｎ個のアウトフェージング入力信号になるように調整するよう構成される。
【００２５】
第５の態様によれば、電力増幅制御方法が提供され、信号制御システムに適用される。信号制御システムは、第１の態様に係る電力増幅器のためにｎ個の入力信号を提供するよう構成され、ここで、ｎ≧２であり、かつ、ｎは整数であり、当該方法は、電力増幅器の動作モードに従って、電力増幅器に対応する電力閾値を決定する段階であって、電力閾値は、ｎ個の入力信号の電力が電力閾値に達した場合、ｎ個の入力信号を、ｎ個の非アウトフェージング入力信号またはｎ個のアウトフェージング入力信号になるように調整するように、信号制御システムに命令するために用いられる、段階と、ｎ個の入力信号の電力が電力閾値に達した場合、ｎ個の入力信号を、ｎ個の非アウトフェージング入力信号またはｎ個のアウトフェージング入力信号になるように調整する段階と、ｎ個の調整された入力信号をドハティ電力増幅ユニットの入力端へ別々に送信する段階とを備える。
【００２６】
第５の態様の第１の可能な実装方式において、電力増幅器の動作モードは、第１の動作モードであり、対応する電力閾値は第１の電力閾値であり、ここで、第１の電力閾値は、各ドハティ電力増幅ユニットにおける各ピーク電力増幅器の初期動作電力より大きい。ｎ個の入力信号の電力が電力閾値に達した場合、ｎ個の入力信号を、ｎ個の非アウトフェージング入力信号またはｎ個のアウトフェージング入力信号になるように調整する段階は、ｎ個の入力信号の電力が第１の電力閾値に達した場合、ｎ個の入力信号を、ｎ個のアウトフェージング入力信号になるように調整する段階を含む。
【００２７】
第５の態様の第１の可能な実装方式に関連して、第５の態様の第２の可能な実装方式において、方法はさらに、ｎ個の入力信号の電力が第１の電力閾値に達していない場合、ｎ個の入力信号を、ｎ個の非アウトフェージング入力信号になるように調整する段階を備える。
【００２８】
第５の態様の第３の可能な実装方式において、電力増幅器の動作モードは、第２の動作モードであり、対応する電力閾値は、第２の電力閾値であり、ここで、第２の電力閾値は、各ドハティ電力増幅ユニットにおける各ピーク電力増幅器の初期動作電力未満である。ｎ個の入力信号の電力が電力閾値に達した場合、ｎ個の入力信号を、ｎ個の非アウトフェージング入力信号またはｎ個のアウトフェージング入力信号になるように調整する段階は、ｎ個の入力信号の電力が第２の電力閾値に達した場合、ｎ個の入力信号を、ｎ個の非アウトフェージング入力信号になるように調整する段階を含む。
【００２９】
第５の態様の第３の可能な実装方式に関連して、第５の態様の第４の可能な実装方式において、方法はさらに、ｎ個の入力信号の電力が第２の電力閾値に達していない場合、ｎ個の入力信号を、ｎ個のアウトフェージング入力信号になるように調整する段階を備える。
【００３０】
本発明の実施形態において提供されている技術的解決手段は、以下の有益な効果を有する。
【００３１】
並列に接続されているｎ個のドハティ電力増幅ユニットと、ｎウェイアウトフェージングコンバイナとを含む構造を有する電力増幅器が用いられ、当該電力増幅器は、受信された信号の入力電力に従って、ドハティ電力増幅ユニットおよびｎウェイアウトフェージングコンバイナのうちの全てまたは一部を、動作状態になるようにトリガする。したがって、既存のアーキテクチャを有するドハティ電力増幅器が高効率性を維持するために用いられる場合、対応する入力電力変動範囲は比較的小さく、かつ、消費電力は入力電力変動範囲が比較的大きいとき、増加するといった問題が、解決される。この構造を有する電力増幅器を用いることによって、高効率性がより大きい入力電力変動範囲内に維持され、それにより、さらに消費電力を低減する。
【図面の簡単な説明】
【００３２】
本発明の実施形態における技術的解決手段をより明確に説明するために、以下では、実施形態を説明するために必要な添付の図面を簡潔に説明する。明らかに、以下の説明における添付の図面は単に本発明のいくつかの実施形態を示しており、当業者は、創造的努力なく、これらの添付の図面から、他の図面をさらに導き出し得る。
【００３３】
【図１】本発明の実施形態に係る無線基地局の構造のブロック図である。
【００３４】
【図２】ドハティ電力増幅器、アウトフェージング電力増幅器、および従来のクラスＢの電力増幅器の効率曲線図である。
【００３５】
【図３】本発明の実施形態に係る電力増幅器の概略構造図である。
【００３６】
【図４】本発明の別の実施形態に係る電力増幅器の概略構造図である。
【００３７】
【図５】本発明の実施形態に係る電力増幅方法の方法フローチャートである。
【００３８】
【図６Ａ】本発明の別の実施形態に係る電力増幅方法の方法フローチャートである。
【００３９】
【図６Ｂ】本発明の実施形態に係る第１の動作モードにある電力増幅器の効率曲線図である。
【００４０】
【図７Ａ】本発明のさらに別の実施形態に係る電力増幅方法の方法フローチャートである。
【００４１】
【図７Ｂ】本発明の実施形態に係る第２の動作モードにある電力増幅器の効率曲線図である。
【００４２】
【図８】本発明の実施形態に係る電力増幅制御装置の構造ブロック図である。
【００４３】
【図９】本発明の実施形態に係る電力増幅制御装置のブロック図である。
【００４４】
【図１０】本発明の実施形態に係る電力増幅制御方法のフローチャートである。
【００４５】
【図１１】本発明の別の実施形態に係る電力増幅制御方法のフローチャートである。
【発明を実施するための形態】
【００４６】
本発明の目的、技術的解決手段、および利点をより明確にするために、以下では、添付の図面を参照して本発明の実施形態をさらに詳細に説明する。
【００４７】
容易に理解するために、まず、本発明の実施形態におけるいくつかの用語を説明する。
【００４８】
アウトフェージング電力増幅器：アウトフェージング電力増幅器は、並列に接続されている２つの電力増幅器と、２ウェイアウトフェージングコンバイナとを含む。アウトフェージング電力増幅器の動作原則は、２つの電力増幅器が２つの受信されたアウトフェージング入力信号を別々に増幅し、アウトフェージングコンバイナが、当該２つの増幅された入力信号を組み合わせることであり、それにより、電力増幅器の効率を向上させる。
【００４９】
無線基地局は、無線周波数信号トランシーバであり、無線基地局の信号カバレッジ範囲内に移動端末のために無線周波数信号を提供するよう構成される。図１に示されているように、無線基地局１０は一般に、制御サブシステム１１と、無線周波数サブシステム１２と、アンテナサブシステム１３とを備える。
【００５０】
無線基地局１０が無線周波数信号を伝送することを例として用いると、アンテナサブシステム１３により送信されたベースバンド信号を受信した後、制御サブシステム１１は、ビルディングベースバンドユニット（英語表記：Ｂｕｉｌｄｉｎｇ  Ｂａｓｅ  ｂａｎｄ  Ｕｎｉｔ、略してＢＢＵ）１１１を用いることによって、変調されていないベースバンド信号を処理し、公衆無線インタフェース（英語表記：Ｃｏｍｍｏｎ  Ｐｕｂｌｉｃ  Ｒａｄｉｏ  Ｉｎｔｅｒｆａｃｅ、略してＣＰＲＩ）によって、処理された信号を無線周波数サブシステム１２へ送信する。移動端末１４により受信された無線周波数信号の強度を確保するために、無線周波数サブシステム１２は、無線周波数サブシステム１２内部の電力増幅器１２１を用いることによって、受信された信号を増幅する必要がある。信号を増幅した後、電力増幅器１２１は、増幅された信号をアンテナサブシステム１３へ送信する。アンテナサブシステム１３におけるＧＳＭ（登録商標）アンテナ・ＴＭＡ制御モジュール（英語表記：ＧＳＭ  Ａｎｔｅｎｎａ  ａｎｄ  ＴＭＡ  ｃｏｎｔｒｏｌ  Ｍｏｄｕｌｅ、略してＧＡＴＭ）１３１は、信号を伝送するように、タワーマウントアンプ（英語表記：Ｔｏｗｅｒ  Ｍｏｕｎｔｅｄ  Ａｍｐｌｉｆｉｅｒ、略してＴＭＡ）１３２を制御する。
【００５１】
無線基地局はさらに、別の従来のサブシステムを備え、制御サブシステム、無線周波数サブシステム、およびアンテナ周波数サブシステムはさらに、他の従来の構成要素を含むということを当業者が理解し得ることに注意すべきであり、詳細はここでは再び説明されない。
【００５２】
無線基地局においてもっとも電力を消費する構成要素である電力増幅器の動作効率は、無線基地局全体の消費電力に直接影響を与える。無線基地局の消費電力を低減させるために、従来技術において、ドハティ電力増幅器は通常、主要な高効率性の電力増幅器として、無線基地局において用いられる。
【００５３】
図２は、ドハティ電力増幅器、アウトフェージング電力増幅器、および従来のクラスＢの電力増幅器の効率曲線図である。効率曲線図の横座標は、正規化後の電力増幅器の出力電圧であり、効率曲線図の縦座標は、電力増幅器の効率である。
【００５４】
出力電圧は、入力電力と正比例する。明らかに、従来のクラスＢの電力増幅器と比較すると、ドハティ電力増幅器およびアウトフェージング電力増幅器は明らかに、比較的大きい入力電力範囲内により高い効率を有する。
【００５５】
図３を参照すると、図３は、本発明の実施形態に係る電力増幅器の概略構造図である。電力増幅器は、並列に接続されている２つのドハティ電力増幅ユニットと、１つの２ウェイアウトフェージングコンバイナとを含む。
【００５６】
第１のドハティ電力増幅ユニット３１と第２のドハティ電力増幅ユニット３２とが、並列に接続されている。第１のドハティ電力増幅ユニット３１は、入力端３１１および出力端３１２を含む。第２のドハティ電力増幅ユニット３２は、入力端３２１および出力端３２２を含む。
【００５７】
２ウェイアウトフェージングコンバイナ３３は、２つの入力端および１つの出力端を含み、それぞれが、第１の入力端３３１、第２の入力端３３２、および出力端３３３である。２ウェイアウトフェージングコンバイナは、チャイレックスコンバイナ、またはアウトフェージング組み合わせ機能を有する別のコンバイナであってよい。アウトフェージングコンバイナの種類は、本発明において限定されない。
【００５８】
第１のドハティ電力増幅ユニット３１の出力端３１２は、２ウェイアウトフェージングコンバイナ３３の第１の入力端３３１に電気的に接続される。第２のドハティ電力増幅ユニット３２の出力端３２２は、２ウェイアウトフェージングコンバイナ３３の第２の入力端３３２に電気的に接続される。
【００５９】
第１のドハティ電力増幅ユニット３１の入力端３１１、および第２のドハティ電力増幅ユニット３２の入力端３２１の両方とも、信号制御システム３４により送信された入力信号を受信するよう構成される。第１のドハティ電力増幅ユニット３１の出力端３１２、および第２のドハティ電力増幅ユニット３２の出力端３２２の両方とも、増幅された入力信号を２ウェイアウトフェージングコンバイナ３３へ送信するよう構成される。２ウェイアウトフェージングコンバイナ３３は、第１の入力端３３１および第２の入力端３３２によって受信された信号を増幅し、当該信号を組み合わせ、その後に、伝送のために、出力端３３３によって、組み合わせ後の信号を送信機（不図示）へ送信する。
【００６０】
図３において、第１のドハティ電力増幅ユニット３１および第２のドハティ電力増幅ユニット３２はそれぞれ、２ウェイドハティ電力増幅ユニットである。すなわち、第１のドハティ電力増幅ユニット３１および第２のドハティ電力増幅ユニット３２はそれぞれ、一次電力増幅器およびピーク電力増幅器を含む。一次電力増幅器は、クラスＢまたはクラスＡＢでバイアスされ、ピーク電力増幅器は、クラスＣでバイアスされる。加えて、一次電力増幅器は、動作状態に保持し、ピーク電力増幅器は、入力電力が初期動作電力に達した場合のみ、動作を開始する。
【００６１】
図３に示されているように、第１のドハティ電力増幅ユニット３１は、一次電力増幅器３１３およびピーク電力増幅器３１４を有し、第２のドハティ電力増幅ユニット３２は、一次電力増幅器３２４およびピーク電力増幅器３２３を有する。一次電力増幅器３１３と、ピーク電力増幅器３１４とが並列に接続されている。一次電力増幅器３２４と、ピーク電力増幅器３２３とが並列に接続されている。一次電力増幅器３１３およびピーク電力増幅器３１４は、ドハティコンバイナ（不図示）を用いることによって接続される必要があることに注意すべきである。ドハティコンバイナは、一次電力増幅器３１３およびピーク電力増幅器３１４によって増幅された信号を組み合わせるよう構成される。それに対応して、一次電力増幅器３２４およびピーク電力増幅器３２３は、ドハティコンバイナを用いることによって接続される必要がある。
【００６２】
第１のドハティ電力増幅ユニット３１において、第１のマイクロストリップ３１５は、一次電力増幅器３１３の後端に直列に接続され、第２のマイクロストリップ３１６は、ピーク電力増幅器３１４の前端に直列に接続される。第１のマイクロストリップ３１５は、インピーダンス変換のために用いられ、第２のマイクロストリップ３１５は、位相平衡のために用いられる。第１のマイクロストリップ３１５および第２のマイクロストリップ３１６はそれぞれ、４分の１波長のマイクロストリップまたは等価回路であってよい。
【００６３】
それに対応して、第２のドハティ電力増幅ユニット３２において、第３のマイクロストリップ３２５は、一次電力増幅器３２４の後端に直列に接続され、第４のマイクロストリップ３２６は、ピーク電力増幅器３２３の前端に直列に接続される。加えて、第３のマイクロストリップ３２５は、第１のマイクロストリップ３１５と同じ機能を有し、第４のマイクロストリップ３２６は、第２のマイクロストリップ３１６と同じ機能を有する。第３のマイクロストリップ３２５および第４のマイクロストリップ３２６はそれぞれ、４分の１波長のマイクロストリップまたは等価回路であってよい。
【００６４】
同じ電力を有するトランジスタが、第１のドハティ電力増幅ユニット３１における一次電力増幅器３１３およびピーク電力増幅器３１４において用いられる場合、第１のドハティ電力増幅ユニット３１は、２ウェイ対称型ドハティ電力増幅ユニットである。異なる電力を有するトランジスタが、第１のドハティ電力増幅ユニット３１における一次電力増幅器３１３およびピーク電力増幅器３１４に用いられる場合、第１のドハティ電力増幅ユニット３１は、２ウェイ非対称型ドハティ電力増幅ユニットである。この実施形態において、第１のドハティ電力増幅ユニット３１は、２ウェイ対称型ドハティ電力増幅ユニットであってよく、または、２ウェイ非対称型ドハティ電力増幅ユニットであってよい。それに対応して、第２のドハティ電力増幅ユニット３２は、２ウェイ対称型ドハティ電力増幅ユニットであってよく、または２ウェイ非対称型ドハティ電力増幅ユニットであってよい。このことは、本発明において限定されない。
【００６５】
この実施形態において、ドハティ電力増幅ユニットの構造が、旧知なドハティ電力増幅器の構造と同様であり、２ウェイアウトフェージングコンバイナの構造が、旧知なアウトフェージング電力増幅器におけるアウトフェージングコンバイナの構造と同様であることに注意すべきである。当業者は、この実施形態において、ドハティ電力増幅ユニットおよび２ウェイアウトフェージングコンバイナはさらに、他の従来の要素を含むことを理解し得て、詳細は、この実施形態において再び説明されない。
【００６６】
任意選択的な実施形態において、各ドハティ電力増幅ユニットは、２ウェイドハティ電力増幅ユニットであってよく、ｍウェイドハティ電力増幅ユニットであってよい。すなわち、各ドハティ電力増幅ユニットは、１つの一次電力増幅器および（ｍ−１）個のピーク電力増幅器を含み、ここで、ｍ≧２であり、かつ、ｍは整数である。以下では、別の実施形態を用いることによって説明を行う。
【００６７】
図４を参照すると、図４は、本発明の別の実施形態に係る電力増幅器の概略構造図である。この実施形態において、電力増幅器におけるドハティ電力増幅ユニットが３ウェイドハティ電力増幅ユニットであることが、説明のための例として用いられる。電力増幅器は、並列に接続されている第１のドハティ電力増幅ユニット４１および第２のドハティ電力増幅ユニット４２と、２ウェイアウトフェージングコンバイナ４３とを含み、第１のドハティ電力増幅ユニット４１は、入力端４１１および出力端４１２を有し、第２のドハティ電力増幅ユニット４２は、入力端４２１および出力端４２２を有し、２ウェイアウトフェージングコンバイナ４３は、２つの入力端および１つの出力端を含み、それぞれが、第１の入力端４３１、第２の入力端４３２、および出力端４３３である。２ウェイアウトフェージングコンバイナは、チャイレックスコンバイナ、またはアウトフェージング機能を有する別のコンバイナであってよい。アウトフェージングコンバイナの種類は、本発明において限定されない。
【００６８】
第１のドハティ電力増幅ユニット４１の出力端４１２は、２ウェイアウトフェージングコンバイナ４３の第１の入力端４３１に電気的に接続される。第２のドハティ電力増幅ユニット４２の出力端４２２は、２ウェイアウトフェージングコンバイナ４３の第２の入力端４３２に電気的に接続される。
【００６９】
第１のドハティ電力増幅ユニット４１の入力端４１１、および第２のドハティ電力増幅ユニット４２の入力端４２１の両方とも、信号制御システム４４により送信された入力信号を受信するよう構成される。第１のドハティ電力増幅ユニット４１の出力端４１２、および第２のドハティ電力増幅ユニット４２の出力端４２２の両方とも、増幅された入力信号を、２ウェイアウトフェージングコンバイナ４３へ送信するよう構成される。２ウェイアウトフェージングコンバイナ４３は、第１の入力端４３１および第２の入力端４３２によって受信された信号を増幅し、当該信号を組み合わせ、その後に、伝送のために、出力端４３３によって、組み合わせ後の信号を送信機（不図示）へ送信する。
【００７０】
図４において、第１のドハティ電力増幅ユニット４１および第２のドハティ電力増幅ユニット４２はそれぞれ、３ウェイドハティ電力増幅ユニットである。すなわち、第１のドハティ電力増幅ユニット３１および第２のドハティ電力増幅ユニット３２はそれぞれ、一次電力増幅器および２つのピーク電力増幅器を含む。
【００７１】
一次電力増幅器は、クラスＢまたはクラスＡＢでバイアスされ、ピーク電力増幅器はクラスＣでバイアスされる。加えて、一次電力増幅器は動作状態に保持し、ピーク電力増幅器は、入力電力が各ピーク電力増幅器に対応する初期動作電力に達した場合のみ、動作を開始する。加えて、ピーク電力増幅器に対応する初期動作電力は、同じ又は異なってよい。このことは本発明において限定されない。
【００７２】
図４に示されているように、第１のドハティ電力増幅ユニット４１は、一次電力増幅器４１３と、第１のピーク電力増幅器４１４と、第２のピーク電力増幅器４１５とを有し、第２のドハティ電力増幅ユニット４２は、一次電力増幅器４２３と、第１のピーク電力増幅器４２４と、第２のピーク電力増幅器４２５とを有する。一次電力増幅器は、ピーク電力増幅器に並列に接続されており、ピーク電力増幅器は、並列に接続されている。同じ電力または異なる電力を有するトランジスタが、一次電力増幅器およびピーク電力増幅器において用いられてよい。このことは、本発明において限定されない。
【００７３】
この実施形態において、３ウェイドハティ電力増幅ユニットおよび２ウェイアウトフェージングコンバイナはさらに、他の従来の要素を含むことを当業者が理解し得ることに注意すべきであり、詳細は、この実施形態において再び説明されない。
【００７４】
本発明のこの実施形態において、アウトフェージングコンバイナは、ｎ個の入力端を含んでよく、ここで、ｎ≧２であり、かつ、ｎは整数である。すなわち、アウトフェージングコンバイナは、ｎウェイアウトフェージングコンバイナであってよい。それに対応して、電力増幅器は、ｎ個のドハティ電力増幅ユニットを含み、ドハティ電力増幅ユニットの出力端は、ｎウェイアウトフェージングコンバイナの入力端に別々に接続されている。
【００７５】
加えて、ドハティ電力増幅ユニットは、同じ数または異なる数のウェイを有してよい。すなわち、各ドハティ電力増幅ユニットに含まれる電力増幅器の合計数は、同じでもよく又は異なってもよい。
【００７６】
例えば、電力増幅器は、第１のドハティ電力増幅ユニット、第２のドハティ電力増幅ユニット、および第３のドハティ電力増幅ユニットを含む。第１のドハティ電力増幅ユニット、第２のドハティ電力増幅ユニット、および第３のドハティ電力増幅ユニットはそれぞれ、一次電力増幅器およびピーク電力増幅器を含む。
【００７７】
別の例において、電力増幅器は、第１のドハティ電力増幅ユニット、第２のドハティ電力増幅ユニット、および第３のドハティ電力増幅ユニットを含む。第１のドハティ電力増幅ユニットは、一次電力増幅器およびピーク電力増幅器を含む（すなわち、第１のドハティ電力増幅ユニットは、２ウェイドハティユニットである）。第２のドハティ電力増幅ユニットは、一次電力増幅器および２つのピーク電力増幅器を含む（すなわち、第２のドハティ電力増幅ユニットは、３ウェイドハティユニットである）。第３のドハティ電力増幅ユニットは、一次電力増幅器および３つのピーク電力増幅器を含む（すなわち、第３のドハティ電力増幅ユニットは、４ウェイドハティユニットである）。
【００７８】
動作するとき、本発明の実施形態において提供されている各電力増幅器は、受信された信号の入力電力に従って、ドハティ電力増幅ユニットおよびアウトフェージングコンバイナのうちの全てまたは一部を、動作状態になるようにトリガする必要があり、それにより、電力増幅器の効率を向上させる。
【００７９】
図５を参照すると、図５は、本発明の実施形態に係る電力増幅方法の方法フローチャートである。この実施形態において、当該電力増幅方法が先述の実施形態において示されている電力増幅器に適用されることが、説明のための例として用いられる。電力増幅方法は、以下の段階を備える。
【００８０】
段階５０１:ドハティ電力増幅ユニットの入力端によって入力信号を受信する。
【００８１】
段階５０２：入力信号の電力に従って、ドハティ電力増幅ユニットおよびｎウェイアウトフェージングコンバイナのうちの全てまたは一部を、動作状態になるようにトリガする。
【００８２】
要するに、この実施形態において提供される電力増幅方法において、並列に接続されているｎ個のドハティ電力増幅ユニットおよびｎウェイアウトフェージングコンバイナを含む構造を有する電力増幅器が用いられ、当該電力増幅器は、受信された信号の入力電力に従って、ドハティ電力増幅ユニットおよびｎウェイアウトフェージングコンバイナのうちの全てまたは一部を、動作状態になるようにトリガする。したがって、既存のアーキテクチャを有するドハティ電力増幅器が、高効率性を維持するために用いられる場合、対応する入力電力変動範囲は比較的小さく、かつ、消費電力は入力電力変動範囲が比較的大きいとき、増加するといった問題が、解決される。この構造を有する電力増幅器を用いることによって、高効率性がより大きい入力電力変動範囲内に維持され、それにより、さらに消費電力を低減する。
【００８３】
電力増幅器の設計の過程において、電力増幅器の動作モードは、実際の動作の要求に従って、第１の動作モードまたは第２の動作モードに設定されてよい。第１の動作モードにおいて、電力増幅器はまず、ドハティ電力増幅ユニットを、動作状態になるようにトリガし、その後に、ｎウェイアウトフェージングコンバイナを、動作状態になるようにトリガする。第２の動作モードにおいて、電力増幅器はまず、ｎウェイアウトフェージングコンバイナを、動作状態になるようにトリガし、その後に、ドハティ電力増幅ユニットを、動作状態になるようにトリガする。以下では、２つの実施形態を用いることによって説明を行う。
【００８４】
図６Ａを参照すると、図６Ａは、本発明の別の実施形態に係る電力増幅方法の方法フローチャートである。この実施形態において、電力増幅方法が第１の動作モードで動作する電力増幅器に適用されることが、説明のための例として用いられる。電力増幅方法は、以下の段階を備える。
【００８５】
段階６０１：ドハティ電力増幅ユニットの入力端によって入力信号を受信する。
【００８６】
電力増幅器における各ドハティ電力増幅ユニットは、入力端によって、信号制御システムにより送信された入力信号を受信する。
【００８７】
段階６０２：ドハティ電力増幅ユニットにより受信された入力信号の電力が第１の電力閾値未満であり、かつ、ドハティ電力増幅ユニットにより受信された入力信号が非アウトフェージングである場合、各ドハティ電力増幅ユニットにおける一次電力増幅器および各ピーク電力増幅器を、動作状態になるようにトリガし、かつ、ｎウェイアウトフェージングコンバイナを、非アウトフェージング動作状態になるようにトリガする。ここで、第１の電力閾値は、各ドハティ電力増幅ユニットにおける各ピーク電力増幅器の初期動作電力より大きい。
【００８８】
電力増幅器の設計の過程において、電力閾値は、電力増幅器のために事前に設計される必要がある。電力閾値は、ドハティ電力増幅ユニットおよびｎウェイアウトフェージングコンバイナのうちの全てまたは一部を、動作状態になるようにトリガするために用いられる。
【００８９】
第１の動作モードで動作するように設定された電力増幅器について、電力増幅器に対応する第１の電力閾値は、各ドハティ電力増幅ユニットにおける各ピーク電力増幅器の初期動作電力より大きくなる必要があり、それにより、入力信号の電力が第１の電力閾値に達する前に、各ドハティ電力増幅ユニットにおける一次電力増幅器および各ピーク電力増幅器が動作状態にあることを確保する。
【００９０】
加えて、入力信号の電力が第１の電力閾値未満である場合、信号制御システムによりドハティ電力増幅ユニットへ送信される入力信号は、非アウトフェージング入力信号である。ドハティ電力増幅ユニットは、非アウトフェージング入力信号を増幅する（信号は依然として非アウトフェージング入力信号である）。ｎウェイアウトフェージングコンバイナは、ｎ個のアウトフェージング入力信号を組み合わることを目的とし、入力信号の電力が第１の電力閾値未満である場合、ｎウェイアウトフェージングコンバイナにより受信される信号は、非アウトフェージング入力信号である。したがって、入力信号の電力が第１の電力閾値未満である場合、ｎウェイアウトフェージングコンバイナは、非アウトフェージング動作状態にある。非アウトフェージング動作状態は、ｎウェイアウトフェージングコンバイナが入力端により受信された信号を直接組み合わせ、かつ、位相調整を実行する必要がない動作状態である。
【００９１】
段階６０３：ドハティ電力増幅ユニットにより受信された入力信号の電力が第１の電力閾値より大きく、かつ、ドハティ電力増幅ユニットにより受信された入力信号がアウトフェージングである場合、各ドハティ電力増幅ユニットにおける一次電力増幅器および各ピーク電力増幅器を、動作状態になるようにトリガし、かつ、ｎウェイアウトフェージングコンバイナを、アウトフェージング動作状態になるようにトリガする。
【００９２】
ドハティ電力増幅ユニットにより受信された入力信号の電力が第１の電力閾値より大きい場合、各ドハティ電力増幅ユニットにおける一次電力増幅器および各ピーク電力増幅器は、動作状態にある。入力信号の電力が連続的に増加すると、一次電力増幅器および各ピーク電力増幅器は、飽和状態となり、もっとも高い効率で動作する。
【００９３】
加えて、入力信号の電力が第１の電力閾値より大きい場合、信号制御システムは、ドハティ電力増幅ユニットへ送信された入力信号を、アウトフェージング入力信号になるように調整し、ドハティ電力増幅ユニットは、アウトフェージング入力信号の電力を増幅する（信号は依然としてアウトフェージング入力信号である）。この場合、ｎウェイアウトフェージングコンバイナの入力端がｎ個のアウトフェージング信号を受信したとき、ｎウェイアウトフェージングコンバイナは、アウトフェージング動作状態になるようにトリガされる。アウトフェージング動作状態は、ｎウェイアウトフェージングコンバイナが入力端により受信された信号に対して位相調整を実行し、その後に、当該信号を組み合わせる動作状態である。
【００９４】
簡潔に言うと、入力電力が比較的低い場合、第１の動作モードで動作する電力増幅器は、低電力条件下で効率を向上させるように、ドハティモードで動作する。入力電力が比較的高い場合、電力増幅器は、高電力条件下で高効率性を維持するように、アウトフェージングモードで動作する。
【００９５】
図６Ｂは、本発明に係る第１の動作モードにある電力増幅器の効率曲線図である。明らかに、第１の動作モードにおいて、入力電力が比較的低い場合、電力増幅器は、ドハティモードで動作し、電力増幅器の効率曲線は、ドハティ電力増幅器の効率曲線である。入力電力が比較的高い場合、電力増幅器は、アウトフェージングモードで動作し、電力増幅器の効率曲線は、アウトフェージング電力増幅器の効率曲線である。従来のドハティ電力増幅器と比較すると、電力増幅器は、より大きい入力電力範囲内に高効率性を維持することができる。
【００９６】
要するに、この実施形態において提供される電力増幅方法において、並列に接続されているｎ個のドハティ電力増幅ユニットと、ｎウェイアウトフェージングコンバイナとを含む構造を有する電力増幅器が用いられ、当該電力増幅器は、受信された信号の入力電力に従って、ドハティ電力増幅ユニットおよびｎウェイアウトフェージングコンバイナのうちの全てまたは一部を、動作状態になるようにトリガする。したがって、既存のアーキテクチャを有するドハティ電力増幅器が高効率性を維持するために用いられる場合、対応する入力電力変動範囲は比較的小さく、かつ、消費電力は入力電力変動範囲が比較的大きいとき、増加するといった問題が、解決される。この構造を有する電力増幅器を用いることによって、高効率性がより大きい入力電力変動範囲内に維持され、それにより、さらに消費電力を低減する。
【００９７】
図７Ａを参照すると、図７Ａは、本発明のさらに別の実施形態に係る電力増幅方法の方法フローチャートである。この実施形態において、電力増幅方法が第２の動作モードで動作する電力増幅器に適用されることが、説明のための例として用いられる。電力増幅方法は、以下の段階を含む。
【００９８】
段階７０１：ドハティ電力増幅ユニットの入力端によって、信号制御システムにより送信された入力信号を受信する。
【００９９】
電力増幅器における各ドハティ電力増幅ユニットは、入力端によって入力信号を受信する。
【０１００】
段階７０２：ドハティ電力増幅ユニットによって受信された入力信号の電力が第２の電力閾値未満であり、かつ、ドハティ電力増幅ユニットにより受信された入力信号がアウトフェージングである場合、各ドハティ電力増幅ユニットにおける一次電力増幅器を、動作状態になるようにトリガし、かつ、ｎウェイアウトフェージングコンバイナを、非アウトフェージング動作状態になるようにトリガする。ここで、第２の電力閾値は、各ドハティ電力増幅ユニットにおける各ピーク電力増幅器の初期動作電力未満である。
【０１０１】
電力増幅器の設計の過程において、電力閾値は、電力増幅器のために事前に設計される必要がある。電力閾値は、ドハティ電力増幅ユニットおよびｎウェイアウトフェージングコンバイナのうちの全てまたは一部を、動作状態になるようにトリガするために用いられる。
【０１０２】
第１の動作モードで動作するように設定される電力増幅器について、電力増幅器に対応する第２の電力閾値は、各ドハティ電力増幅ユニットにおける各ピーク電力増幅器の初期動作電力未満であることが必要であり、それにより、入力信号の電力が第１の電力閾値に達する前に、ドハティ電力増幅ユニットにおけるピーク電力増幅器が動作を開始しないことを確保する。
【０１０３】
加えて、入力信号の電力が第２の電力閾値未満である場合、信号制御システムによりドハティ電力増幅ユニットへ送信される信号は、アウトフェージング入力信号である。ドハティ電力増幅ユニットにおけるピーク電力増幅器は、動作を開始しない。したがって、一次電力増幅器のみが、アウトフェージング入力信号の電力を増幅する（増幅された信号は依然としてアウトフェージング信号である）。ｎウェイアウトフェージングコンバイナは、ｎ個のアウトフェージング信号を組み合わることを目的とする。したがって、ｎウェイアウトフェージングコンバイナの入力端がドハティ電力増幅ユニットにより送信されたｎ個のアウトフェージング信号を受信する場合、ｎウェイアウトフェージングコンバイナは、アウトフェージング動作状態において動作している。アウトフェージング動作状態は、ｎウェイアウトフェージングコンバイナが入力端により受信された信号に対して位相調整を実行し、その後に、当該信号を組み合わせる動作状態である。
【０１０４】
段階７０３：ドハティ電力増幅ユニットにより受信された入力信号の電力が、第２の電力閾値より大きく、かつ、ドハティ電力増幅ユニットにより受信された入力信号が非アウトフェージングである場合、各ドハティ電力増幅ユニットにおける一次電力増幅器よび各ピーク電力増幅器を、動作状態になるようにトリガし、かつ、ｎウェイアウトフェージングコンバイナを、非アウトフェージング動作状態になるようにトリガする。
【０１０５】
ドハティ電力増幅ユニットにより受信された入力信号の電力が第２の電力閾値より大きい場合、入力信号の電力が増加すると、ドハティ電力増幅ユニットにおけるピーク電力増幅器は、続いて動作状態に入る。
【０１０６】
加えて、入力信号の電力が第２の電力閾値より大きい場合、信号制御システムは、ドハティ電力増幅ユニットへ送信された入力信号を、非アウトフェージング入力信号になるように調整し、ドハティ電力増幅ユニットにおける一次電力増幅器およびピーク電力増幅器は、非アウトフェージング入力信号の電力を増幅する（増幅された信号は依然として非アウトフェージング信号である）。この場合、ｎウェイアウトフェージングコンバイナの入力端により受信された信号がｎ個の非アウトフェージング信号であるため、ｎウェイアウトフェージングコンバイナは、非アウトフェージング動作状態になるようにトリガされる。非アウトフェージング動作状態は、ｎウェイアウトフェージングコンバイナが入力端により受信された信号を直接組み合わせ、かつ、位相調整を実行する必要がない動作状態である。
【０１０７】
図７Ｂは、本発明に係る第２の動作モードにある電力増幅器の効率曲線図である。明らかに、第２の動作モードにおいて、入力電力が比較的低い場合、電力増幅器は、アウトフェージングモードで動作し、かつ、電力増幅器の効率曲線は、アウトフェージング電力増幅器の効率曲線である。入力電力が比較的高い場合、電力増幅器は、ドハティモードで動作し、かつ、電力増幅器の効率曲線は、ドハティ電力増幅器の効率曲線である。従来のドハティ電力増幅器と比較すると、電力増幅器は、より大きい入力電力範囲内に高効率性を維持することができる。
【０１０８】
要するに、この実施形態において提供される電力増幅方法において、並列に接続されているｎ個のドハティ電力増幅ユニットと、ｎウェイアウトフェージングコンバイナとを含む構造を有する電力増幅器が用いられ、当該電力増幅器は、受信された信号の入力電力に従って、ドハティ電力増幅ユニットおよびｎウェイアウトフェージングコンバイナのうちの全てまたは一部を、動作状態になるようにトリガする。したがって、既存のアーキテクチャを有するドハティ電力増幅器が高効率性を維持するために用いられる場合、対応する入力電力変動範囲は比較的小さく、かつ、消費電力は入力電力変動範囲が比較的大きいとき、増加するといった問題が、解決される。この構造を有する電力増幅器を用いることによって、高効率性がより大きい入力電力変動範囲内に維持され、それにより、さらに消費電力を低減する。
【０１０９】
図８を参照すると、図８は、本発明の実施形態に係る電力増幅制御装置の構造ブロック図である。電力増幅制御装置は、信号制御システムに適用される。信号制御システムは、図３または図４において示されている電力増幅器のために入力信号を提供するために用いられる。電力増幅制御装置は、電力増幅器の動作モードに従って、電力増幅器に対応する電力閾値を決定するよう構成される処理モジュール８１０であって、電力閾値は、ｎ個の入力信号の電力が電力閾値に達した場合、ｎ個の入力信号を、ｎ個の非アウトフェージング入力信号またはｎ個のアウトフェージング入力信号になるように調整するように、信号制御システムに命令するために用いられ、処理モジュール８１０はさらに、ｎ個の入力信号の電力が電力閾値に達した場合、ｎ個の入力信号を、ｎ個の非アウトフェージング入力信号またはｎ個のアウトフェージング入力信号になるように調整するよう構成される、処理モジュール８１０と、ｎ個の調整された入力信号をドハティ電力増幅ユニットの入力端へ別々に送信するよう構成される送信モジュール８２０とを備える。
【０１１０】
要するに、この実施形態において提供される電力増幅制御装置は、電力増幅器の動作モードに従って、電力増幅器に対応する電力閾値を決定し、入力信号の電力が電力閾値に達した場合、入力信号を調整し、これにより、入力信号は、電力増幅器の動作モードに適合する。したがって、既存のアーキテクチャを有するドハティ電力増幅器が高効率性を維持するために用いられる場合、対応する入力電力変動範囲は比較的小さく、かつ、消費電力は入力電力変動範囲が比較的大きいとき、増加するといった問題が、解決される。この構造を有する電力増幅器を用いることによって、高効率性がより大きい入力電力変動範囲内に維持され、それにより、さらに消費電力を低減する。
【０１１１】
図８に基づいて、任意で、電力増幅器の動作モードは、第１の動作モードであり、対応する電力閾値は、第１の電力閾値であり、ここで、第１の電力閾値は、各ドハティ電力増幅ユニットにおける各ピーク電力増幅器の初期動作電力より大きい。処理モジュール８１０はさらに、ｎ個の入力信号の電力が第１の電力閾値に達した場合、ｎ個の入力信号を、ｎ個のアウトフェージング入力信号になるように調整するよう構成される。
【０１１２】
任意で、処理モジュール８１０はさらに、ｎ個の入力信号の電力が第１の電力閾値に達していない場合、ｎ個の入力信号を、ｎ個の非アウトフェージング入力信号になるように調整するよう構成される。
【０１１３】
任意で、電力増幅器の動作モードは、第２の動作モードであり、対応する電力閾値は、第２の電力閾値であり、ここで、第２の電力閾値は、各ドハティ電力増幅ユニットにおける各ピーク電力増幅器の初期動作電力未満である。処理モジュール８１０はさらに、ｎ個の入力信号の電力が第２の電力閾値に達した場合、ｎ個の入力信号を、ｎ個の非アウトフェージング入力信号になるように調整するよう構成される。
【０１１４】
任意で、処理モジュール８１０は、ｎ個の入力信号の電力が第２の電力閾値に達していない場合、ｎ個の入力信号を、ｎ個のアウトフェージング入力信号になるように調整するよう構成される。
【０１１５】
図９を参照すると、図９は、本発明の実施形態に係る電力増幅制御装置のブロック図である。電力増幅制御装置９００は、バス９１０と、バス９１０を用いることによって接続されるプロセッサ９２０、メモリ９３０、およびトランシーバ９４０とを備えてよい。メモリ９３０は、１つまたはより多くの命令を記憶するよう構成される。当該１つまたはより多くの命令は、プロセッサ９２０により実行されるよう構成される。
【０１１６】
プロセッサ９２０は、電力増幅器の動作モードに従って、電力増幅器に対応する電力閾値を決定するよう構成され、ここで、電力閾値は、ｎ個の入力信号の電力が電力閾値に達した場合、ｎ個の入力信号を、ｎ個の非アウトフェージング入力信号またはｎ個のアウトフェージング入力信号になるように調整するように、信号制御システムに命令するために用いられる。プロセッサ９２０はさらに、ｎ個の入力信号の電力が電力閾値に達した場合、ｎ個の入力信号を、ｎ個の非アウトフェージング入力信号またはｎ個のアウトフェージング入力信号になるように調整するよう構成され、プロセッサ９２０はさらに、ｎ個の調整された入力信号をドハティ電力増幅ユニットの入力端へ別々に送信するように、トランシーバ９４０を制御するよう構成される。
【０１１７】
任意で、電力増幅器の動作モードは、第１の動作モードであり、対応する電力閾値は、第１の電力閾値であり、ここで、第１の電力閾値は、各ドハティ電力増幅ユニットにおける各ピーク電力増幅器の初期動作電力より大きい。プロセッサ９２０はさらに、ｎ個の入力信号の電力が第１の電力閾値に達した場合、ｎ個の入力信号を、ｎ個のアウトフェージング入力信号になるように調整するよう構成される。
【０１１８】
任意で、プロセッサ９２０はさらに、ｎ個の入力信号の電力が第１の電力閾値に達していない場合、ｎ個の入力信号を、ｎ個の非アウトフェージング入力信号になるように調整するよう構成される。
【０１１９】
任意で、電力増幅器の動作モードは、第２の動作モードであり、対応する電力閾値は、第２の電力閾値であり、ここで、第２の電力閾値は、各ドハティ電力増幅ユニットにおける各ピーク電力増幅器の初期動作電力未満である。プロセッサ９２０はさらに、ｎ個の入力信号の電力が第２の電力閾値に達した場合、ｎ個の入力信号を、ｎ個の非アウトフェージング入力信号になるように調整するよう構成される。
【０１２０】
任意で、プロセッサ９２０はさらに、ｎ個の入力信号の電力が第１の電力閾値に達していない場合、ｎ個の入力信号を、ｎ個のアウトフェージング入力信号になるように調整するよう構成される。
【０１２１】
要するに、この実施形態において提供される電力増幅制御装置は、電力増幅器の動作モードに従って、電力増幅器に対応する電力閾値を決定し、入力信号の電力が電力閾値に達した場合、入力信号を調整し、これにより、入力信号は、電力増幅器の動作モードに適合する。したがって、既存のアーキテクチャを有するドハティ電力増幅器が高効率性を維持するために用いられる場合、対応する入力電力変動範囲は比較的小さく、かつ、消費電力は入力電力変動範囲が比較的大きいとき、増加するといった問題が、解決される。この構造を有する電力増幅器を用いることによって、高効率性がより大きい入力電力変動範囲内に維持され、それにより、さらに消費電力を低減する。
【０１２２】
電力増幅器の高動作効率を確保するために、電力増幅器のために入力信号を提供する信号制御システムは、電力増幅器の動作モードに対応する電力閾値に従って、リアルタイムで入力信号を調整する必要がある。以下では、実施形態を用いることによって説明を行う。
【０１２３】
図１０を参照すると、図１０は、本発明の実施形態に係る電力増幅制御方法のフローチャートである。この実施形態において、電力増幅制御方法が先述の実施形態における信号制御システムに適用されることが、説明のための例として用いられる。方法は、以下の段階を備える。
【０１２４】
段階１００１：電力増幅器の動作モードに従って、電力増幅器に対応する電力閾値を決定する。ここで、電力閾値は、ｎ個の入力信号の電力が電力閾値に達した場合、ｎ個の入力信号を、ｎ個の非アウトフェージング入力信号またはｎ個のアウトフェージング入力信号になるように調整するように、信号制御システムに命令するために用いられる。
【０１２５】
信号制御システムはさらに、増幅される必要がある信号の電力と電力増幅器の動作モードとに従って、ｎ個の入力信号の電力が電力閾値に達していない場合、ｎ個の入力信号をどのように設定するかを決定してよい。
【０１２６】
段階１００２：ｎ個の入力信号の電力が電力閾値に達した場合、ｎ個の入力信号を、ｎ個の非アウトフェージング入力信号またはｎ個のアウトフェージング入力信号になるように調整する。
【０１２７】
ｎ個の入力信号の電力が電力閾値に達していない場合、信号制御システムは、ｎ個の入力信号の電力が電力閾値に達していない場合、段階１００１において決定された、ｎ個の入力信号に対応する信号設定方式で、ｎ個の入力信号を設定する。
【０１２８】
段階１００３：ｎ個の調整された入力信号をドハティ電力増幅ユニットの入力端へ別々に送信する。
【０１２９】
要するに、この実施形態において提供される電力増幅制御方法において、電力増幅器に対応する電力閾値は、電力増幅器の動作モードに従って決定され、入力信号の電力が電力閾値に達した場合、入力信号は調整され、これにより、入力信号は、電力増幅器の動作モードに適合する。したがって、既存のアーキテクチャを有するドハティ電力増幅器が高効率性を維持するために用いられる場合、対応する入力電力変動範囲は比較的小さく、かつ、消費電力は入力電力変動範囲が比較的大きいとき、増加するといった問題が、解決される。この構造を有する電力増幅器を用いることによって、高効率性がより大きい入力電力変動範囲内に維持され、それにより、さらに消費電力を低減する。
【０１３０】
図１１を参照すると、図１１は、本発明の別の実施形態に係る電力増幅制御方法のフローチャートである。この実施形態において、電力増幅制御方法が図３または図４において示されている信号制御システムに適用されることが、説明のための例として用いられる。方法は、以下の段階を備える。
【０１３１】
段階１１０１：電力増幅器の動作モードに従って、電力増幅器に対応する電力閾値を決定する。ここで、電力閾値は、ｎ個の入力信号の電力が電力閾値に達した場合、ｎ個の入力信号を、ｎ個の非アウトフェージング入力信号またはｎ個のアウトフェージング入力信号になるように調整するように、信号制御システムに命令するために用いられる。
【０１３２】
信号制御システムは、各種動作モードの電力増幅器に対応する電力閾値を事前に記憶してよい。当業者が接続されるべき電力増幅器の動作モードを選択した場合、信号制御システムは、当該動作モードに対応する電力閾値を取得することができる。
【０１３３】
本発明の実施形態において提供される電力増幅器は、２つの動作モードを含み、当該２つの動作モードは、異なる電力閾値に対応する。したがって、信号制御システムに接続される電力増幅器の動作モードが第１の動作モードである場合、信号制御システムは、電力増幅器に対応する電力閾値が第１の電力閾値であると決定し、信号制御システムに接続される電力増幅器の動作モードが第２の動作モードである場合、信号制御システムは、電力増幅器に対応する電力閾値が第２の電力閾値であると決定する。
【０１３４】
第１の電力閾値は、各ドハティ電力増幅ユニットにおける各ピーク電力増幅器の初期動作電力より大きく、それにより、入力電力が第１の電力閾値に達した場合、ドハティ電力増幅ユニットにおける各ピーク電力増幅器が動作状態にあることを確保する。第２の電力閾値は、各ドハティ電力増幅ユニットにおける各ピーク電力増幅器の初期動作電力未満であり、それにより、入力電力の場合が第２の電力閾値に達した場合、ドハティ電力増幅ユニットにおけるピーク電力増幅器が動作を開始しないことを確保する。
【０１３５】
段階１１０２：ｎ個の入力信号の電力が第１の電力閾値に達していない場合、ｎ個の入力信号を、ｎ個の非アウトフェージング入力信号になるように調整する。
【０１３６】
第１の動作モードにおいて、入力信号の電力が比較的低い場合、電力増幅器がドハティモードで動作することを有効にするために、すなわち、電力増幅器における各ドハティ電力増幅ユニットが動作状態にあり、かつ、アウトフェージングコンバイナが非アウトフェージング動作状態にあるために、ｎ個の入力信号の電力が第１の電力閾値に達していないとき、信号制御システムは、ｎ個の入力信号を、ｎ個の非アウトフェージング入力信号になるように調整する必要がある。アウトフェージング動作状態は、ｎウェイアウトフェージングコンバイナが入力端により受信された信号を直接組み合わせ、かつ、位相調整を実行する必要がない動作状態である。
【０１３７】
段階１１０３：ｎ個の非アウトフェージング入力信号を、ドハティ電力増幅ユニットの入力端へ別々に送信する。
【０１３８】
ｎウェイアウトフェージングコンバイナは、ｎ個のアウトフェージング信号を組み合わることを目的とする。したがって、ｎウェイアウトフェージングコンバイナの入力端がｎ個の非アウトフェージング信号を受信する場合、ｎウェイアウトフェージングコンバイナは、非アウトフェージング動作状態にあり、受信した非アウトフェージング信号を組み合わせる。
【０１３９】
段階１１０４：ｎ個の入力信号の電力が第１の電力閾値に達した場合、ｎ個の入力信号を、ｎ個のアウトフェージング入力信号になるように調整する。
【０１４０】
第１の動作モードにおいて、入力信号の電力が比較的高い場合、電力増幅器がアウトフェージングモードで動作することを有効にするために、すなわち、電力増幅器における各ドハティ電力増幅ユニットが動作状態にあり、かつ、アウトフェージングコンバイナがアウトフェージング動作状態にあるために、ｎ個の入力信号の電力が第１の電力閾値に達したとき、信号制御システムは、ｎ個の入力信号を、ｎ個のアウトフェージング入力信号になるように調整する必要がある。
【０１４１】
先述の段階１１０４を実行した後、信号制御システムは、段階１１０８を実行する。
【０１４２】
段階１１０５：ｎ個の入力信号の電力が第２の電力閾値に達していない場合、ｎ個の入力信号を、ｎ個のアウトフェージング入力信号になるように調整する。
【０１４３】
第２の動作モードにおいて、入力信号の電力が比較的低い場合、電力増幅器がアウトフェージングモードで動作することを有効にするために、すなわち、電力増幅器の各ドハティ電力増幅ユニットにおいて、一次電力増幅器のみが動作状態にあり、かつ、ｎウェイアウトフェージングコンバイナは、アウトフェージング動作状態にあるために、ｎ個の入力信号の電力が第２の電力閾値に達していないとき、信号制御システムは、ｎウェイアウトフェージングコンバイナを、アウトフェージング動作状態に入るようにトリガするように、ｎ個の入力信号をｎ個のアウトフェージング入力信号になるように調整する必要がある。
【０１４４】
段階１１０６：ｎ個のアウトフェージング入力信号を、ドハティ電力増幅ユニットの入力端へ別々に送信する。
【０１４５】
それに対応して、ｎウェイアウトフェージングコンバイナの入力端がｎ個のアウトフェージング入力信号を受信した場合、ｎウェイアウトフェージングコンバイナは、アウトフェージング動作状態に入るようにトリガされ、ｎ個の受信されたアウトフェージング入力信号に対して位相調整を実行し、その後に、当該信号を組み合わせる。
【０１４６】
段階１１０７：ｎ個の入力信号の電力が第２の電力閾値に達した場合、ｎ個の入力信号を、ｎ個の非アウトフェージング入力信号に調整する。
【０１４７】
第２の動作モードにおいて、入力信号の電力が比較的高い場合、電力増幅器がドハティモードで動作することを有効にするために、すなわち、電力増幅器の各ドハティ電力増幅ユニットにおける一次電力増幅器および各ピーク電力増幅器が動作状態にあり、かつ、アウトフェージングコンバイナが非アウトフェージング動作状態にあるために、ｎ個の入力信号の電力が第２の電力閾値に達したとき、信号制御システムは、ｎ個のアウトフェージング入力信号を、ｎ個の非アウトフェージング入力信号になるように調整する必要がある。
【０１４８】
先述の段階１１０７を実行した後、信号制御システムは、段階１１０８を実行する。
【０１４９】
段階１１０８：ｎ個の調整された入力信号を、ドハティ電力増幅ユニットの入力端へ別々に送信する。
【０１５０】
それに対応して、ドハティ電力増幅ユニットは、ドハティ電力増幅ユニットの入力端によって、ｎ個の調整された入力信号を受信し、入力信号を増幅し、かつ、組み合わせのために、増幅された信号をｎウェイアウトフェージングコンバイナへ送信する。先述の段階１１０４が実行された後、ｎ個のアウトフェージング入力信号は、ｎウェイアウトフェージングコンバイナを、アウトフェージング動作状態に入るようにトリガし、先述の段階１１０７が実行された後、ｎ個の非アウトフェージング入力信号は、ｎウェイアウトフェージングコンバイナを、非アウトフェージング動作状態に入るようにトリガする。
【０１５１】
要するに、この実施形態において提供される電力増幅制御方法において、電力増幅器に対応する電力閾値は、電力増幅器の動作モードに従って決定され、入力信号の電力が電力閾値に達した場合、入力信号は調整され、これにより、入力信号は、電力増幅器の動作モードに適合する。したがって、既存のアーキテクチャを有するドハティ電力増幅器が高効率性を維持するために用いられる場合、対応する入力電力変動範囲は比較的小さく、かつ、消費電力は入力電力変動範囲が比較的大きいとき、増加するといった問題が、解決される。この構造を有する電力増幅器を用いることによって、高効率性がより大きい入力電力変動範囲内に維持され、それにより、さらに消費電力を低減する。
【０１５２】
当業者は、実施形態の段階のうちの全てまたは一部が、ハードウェアまたは関連ハードウェアを命令するプログラムにより実装されてよいことを理解し得る。プログラムは、コンピュータ可読記憶媒体において記憶されてよい。記憶媒体は、リードオンリメモリ、磁気ディスク、または光ディスクを含んでよい。
【０１５３】
先述の説明は単に本発明の実施形態の例であり、本発明を限定することを意図するものではない。本発明の原理から逸脱することなく行われるあらゆる変更、均等な置換、および改良は、本発明の保護範囲に含まれるものとする。
【０１５４】
（項目１）
電力増幅器であって、上記電力増幅器は、
並列に接続されているｎ個のドハティドハティ電力増幅ユニットと、ｎウェイアウトフェージングアウトフェージングコンバイナとを備え、ｎ≧２であり、かつ、ｎは整数であり、
各ドハティ電力増幅ユニットは、１つの入力端および１つの出力端を有し、
上記ｎウェイアウトフェージングコンバイナは、ｎ個の入力端および１つの出力端を有し、
上記ドハティ電力増幅ユニットの上記出力端は、上記ｎウェイアウトフェージングコンバイナの上記入力端に別々に接続されている、
電力増幅器。
（項目２）
各ドハティ電力増幅ユニットは、ｍウェイドハティ電力増幅ユニットであり、上記ｍウェイドハティ電力増幅ユニットは、１つの一次電力増幅器および（ｍ−１）個のピーク電力増幅器を含み、ｍ≧２であり、かつ、ｍは整数であり、上記ドハティ電力増幅ユニットは、同じ数または異なる数のウェイを有し、
各ｍウェイドハティ電力増幅ユニットにおいて、上記一次電力増幅器は各ピーク電力増幅器に並列に接続されており、上記ピーク電力増幅器は並列に接続されている、項目１に記載の電力増幅器。
（項目３）
上記ｍウェイドハティ電力増幅ユニットは、２ウェイ対称型ドハティ電力増幅ユニットであり、上記２ウェイ対称型ドハティ電力増幅ユニットは、１つの一次電力増幅器および１つのピーク電力増幅器を含み、同じ電力を有するトランジスタが、上記一次電力増幅器および上記ピーク電力増幅器において用いられる、または、
上記ｍウェイドハティ電力増幅ユニットは、２ウェイ非対称型ドハティ電力増幅ユニットであり、上記２ウェイ非対称型ドハティ電力増幅ユニットは、１つの一次電力増幅器および１つのピーク電力増幅器を含み、異なる電力を有するトランジスタが、上記一次電力増幅器および上記ピーク電力増幅器において用いられる、項目２に記載の電力増幅器。
（項目４）
上記ｎウェイアウトフェージングコンバイナは、アウトフェージングチャイレックスコンバイナである、
項目１から３のいずれか一項に記載の電力増幅器。
（項目５）
項目１から４のいずれか一項に記載の電力増幅器に適用される電力増幅方法であって、上記方法は、
上記ドハティ電力増幅ユニットの上記入力端によって、入力信号を受信する段階と、
上記入力信号の電力に従って、上記ドハティ電力増幅ユニットおよび上記ｎウェイアウトフェージングコンバイナのうちの全てまたは一部を、動作状態になるようにトリガする段階と
を備える電力増幅方法。
（項目６）
上記入力信号の電力に従って、上記ドハティ電力増幅ユニットおよび上記ｎウェイアウトフェージングコンバイナのうちの全てまたは一部を、動作状態になるようにトリガする上記段階は、
上記ドハティ電力増幅ユニットにより受信された上記入力信号の上記電力が第１の電力閾値未満であり、かつ、上記ドハティ電力増幅ユニットにより受信された上記入力信号が非アウトフェージングである場合、各ドハティ電力増幅ユニットにおける上記一次電力増幅器および各ピーク電力増幅器を、動作状態になるようにトリガし、かつ、上記ｎウェイアウトフェージングコンバイナを、非アウトフェージング動作状態になるようにトリガする段階であって、上記第１の電力閾値は、各ドハティ電力増幅ユニットにおける各ピーク電力増幅器の初期動作電力より大きい、段階と、
上記ドハティ電力増幅ユニットにより受信された上記入力信号の上記電力が上記第１の電力閾値より大きく、かつ、上記ドハティ電力増幅ユニットにより受信された上記入力信号がアウトフェージングである場合、各ドハティ電力増幅ユニットにおける上記一次電力増幅器および各ピーク電力増幅器を、動作状態になるようにトリガし、かつ、上記ｎウェイアウトフェージングコンバイナを、アウトフェージング動作状態になるようにトリガする段階とを含み、
上記非アウトフェージング動作状態は、上記ｎウェイアウトフェージングコンバイナが、上記入力端により受信された上記信号を直接組み合わせる動作状態であり、
上記アウトフェージング動作状態は、上記ｎウェイアウトフェージングコンバイナが、上記入力端により受信された上記信号に対して位相調整を実行し、そして、上記信号を組み合わせる動作状態である、項目５に記載の方法。
（項目７）
上記入力信号の電力に従って、上記ドハティ電力増幅ユニットおよび上記ｎウェイアウトフェージングコンバイナのうちの全てまたは一部を、動作状態になるようにトリガする上記段階は、
上記ドハティ電力増幅ユニットにより受信された上記入力信号の上記電力が第２の電力閾値未満であり、かつ、上記ドハティ電力増幅ユニットにより受信された上記入力信号がアウトフェージングである場合、各ドハティ電力増幅ユニットにおける上記一次電力増幅器を、動作状態になるようにトリガし、かつ、上記ｎウェイアウトフェージングコンバイナを、アウトフェージング動作状態になるようにトリガする段階であって、上記第２の電力閾値は、各ドハティ電力増幅ユニットにおける各ピーク電力増幅器の初期動作電力未満である、段階と、
上記ドハティ電力増幅ユニットにより受信された上記入力信号の上記電力が上記第２の電力閾値より大きく、かつ、上記ドハティ電力増幅ユニットにより受信された上記入力信号が非アウトフェージングである場合、各ドハティ電力増幅ユニットにおける上記一次電力増幅器および各ピーク電力増幅器を、動作状態になるようにトリガし、かつ、上記ｎウェイアウトフェージングコンバイナを、非アウトフェージング動作状態になるようにトリガする段階とを含み、
上記非アウトフェージング動作状態は、上記ｎウェイアウトフェージングコンバイナが、上記入力端により受信された上記信号を直接組み合わせる動作状態であり、
上記アウトフェージング動作状態は、上記ｎウェイアウトフェージングコンバイナが、上記入力端により受信された上記信号に対して位相調整を実行して、その後に、上記信号を組み合わせる動作状態である、項目５に記載の方法。
（項目８）
信号制御システムに適用される電力増幅制御装置であって、上記信号制御システムは、項目１から４のいずれか一項に記載の電力増幅器のためにｎ個の入力信号を提供するよう構成され、ｎ≧２であり、かつ、ｎは整数であり、上記装置は、
上記電力増幅器の動作モードに従って、上記電力増幅器に対応する電力閾値を決定するよう構成される処理モジュールであって、前上記電力閾値は、上記ｎ個の入力信号の電力が上記電力閾値に達した場合に、上記ｎ個の入力信号を、ｎ個の非アウトフェージング入力信号またはｎ個のアウトフェージング入力信号になるように調整するように、上記信号制御システムに命令するために用いられ、上記処理モジュールはさらに、上記ｎ個の入力信号の上記電力が上記電力閾値に達した場合に、上記ｎ個の入力信号を、上記ｎ個の非アウトフェージング入力信号またはｎ個のアウトフェージング入力信号になるように調整するよう構成される、処理モジュールと、
上記ｎ個の調整された入力信号を上記ドハティ電力増幅ユニットの上記入力端へ別々に送信するよう構成される送信モジュールと
を備える電力増幅制御装置。
（項目９）
上記電力増幅器の上記動作モードは、第１の動作モードであり、上記対応する電力閾値は、第１の電力閾値であり、上記第１の電力閾値は、各ドハティ電力増幅ユニットにおける各ピーク電力増幅器の初期動作電力より大きく、
上記処理モジュールはさらに、上記ｎ個の入力信号の上記電力が上記第１の電力閾値に達した場合、上記ｎ個の入力信号を、上記ｎ個のアウトフェージング入力信号になるように調整するよう構成される、項目８に記載の装置。
（項目１０）
上記処理モジュールはさらに、上記ｎ個の入力信号の上記電力が、上記第１の電力閾値に達していない場合、上記ｎ個の入力信号を、上記ｎ個の非アウトフェージング入力信号になるように調整するよう構成される、項目９に記載の装置。
（項目１１）
上記電力増幅器の上記動作モードは、第２の動作モードであり、上記対応する電力閾値は、第２の電力閾値であり、上記第２の電力閾値は、各ドハティ電力増幅ユニットにおける各ピーク電力増幅器の初期動作電力未満であり、
上記処理モジュールはさらに、上記ｎ個の入力信号の上記電力が上記第２の電力閾値に達した場合、上記ｎ個の入力信号を、上記ｎ個の非アウトフェージング入力信号になるように調整するよう構成される、項目８に記載の装置。
（項目１２）
上記処理モジュールはさらに、上記ｎ個の入力信号の上記電力が上記第２の電力閾値に達していない場合、上記ｎ個の入力信号を、上記ｎ個のアウトフェージング入力信号になるように調整するよう構成される、項目１１に記載の装置。
（項目１３）
信号制御システムに適用される電力増幅制御装置であって、上記信号制御システムは、項目１から４のいずれか一項に記載の電力増幅器のためにｎ個の入力信号を提供するよう構成され、ｎ≧２であり、かつ、ｎは整数であり、上記装置は、
上記電力増幅器の動作モードに従って、上記電力増幅器に対応する電力閾値を決定するよう構成されるプロセッサであって、上記電力閾値は、上記ｎ個の入力信号の電力が上記電力閾値に達した場合、上記ｎ個の入力信号を、ｎ個の非アウトフェージング入力信号またはｎ個のアウトフェージング入力信号になるように調整するように、上記信号制御システムに命令するために用いられる、プロセッサとを備え、
上記プロセッサはさらに、上記ｎ個の入力信号の上記電力が上記電力閾値に達した場合、上記ｎ個の入力信号を、上記ｎ個の非アウトフェージング入力信号または上記ｎ個のアウトフェージング入力信号になるように調整するよう構成され、
上記プロセッサはさらに、上記ｎ個の調整された入力信号を上記ドハティ電力増幅ユニットの上記入力端へ別々に送信するように、トランシーバを制御するよう構成される、
電力増幅制御装置。
（項目１４）
上記電力増幅器の上記動作モードは、第１の動作モードであり、上記対応する電力閾値は、第１の電力閾値であり、上記第１の電力閾値は、各ドハティ電力増幅ユニットにおける各ピーク電力増幅器の初期動作電力より大きく、
上記プロセッサはさらに、上記ｎ個の入力信号の上記電力が上記第１の電力閾値に達した場合、上記ｎ個の入力信号を、上記ｎ個のアウトフェージング入力信号になるように調整するよう構成される、項目１３に記載の装置。
（項目１５）
上記プロセッサはさらに、上記ｎ個の入力信号の上記電力が上記第１の電力閾値に達していない場合、上記ｎ個の入力信号を上記ｎ個の非アウトフェージング入力信号になるように調整するよう構成される、項目１４に記載の装置。
（項目１６）
上記電力増幅器の上記動作モードは、第２の動作モードであり、上記対応する電力閾値は、第２の電力閾値であり、上記第２の電力閾値は、各ドハティ電力増幅ユニットにおける各ピーク電力増幅器の初期動作電力未満であり、
上記プロセッサはさらに、上記ｎ個の入力信号の上記電力が上記第２の電力閾値に達した場合、上記ｎ個の入力信号を、上記ｎ個の非アウトフェージング入力信号になるように調整するよう構成される、項目１３に記載の装置。
（項目１７）
上記プロセッサはさらに、上記ｎ個の入力信号の上記電力が上記第２の電力閾値に達していない場合、上記ｎ個の入力信号を、上記ｎ個のアウトフェージング入力信号になるように調整するよう構成される、項目１６に記載の装置。
（項目１８）
信号制御システムに適用される電力増幅制御方法であって、上記信号制御システムは、項目１から４のいずれか一項に記載の電力増幅器のためにｎ個の入力信号を提供するよう構成され、ｎ≧２であり、かつ、ｎは整数であり、上記方法は、
上記電力増幅器の動作モードに従って、上記電力増幅器に対応する電力閾値を決定する段階であって、上記電力閾値は、上記ｎ個の入力信号の電力が上記電力閾値に達した場合、上記ｎ個の入力信号を、ｎ個の非アウトフェージング入力信号またはｎ個のアウトフェージング入力信号になるように調整するように、上記信号制御システムに命令するために用いられる、段階と、
上記ｎ個の入力信号の上記電力が上記電力閾値に達した場合、上記ｎ個の入力信号を、上記ｎ個の非アウトフェージング入力信号または上記ｎ個のアウトフェージング入力信号になるように調整する段階と、
上記ｎ個の調整された入力信号を、上記ドハティ電力増幅ユニットの上記入力端へ別々に送信する段階と
を備える電力増幅制御方法。
（項目１９）
上記電力増幅器の上記動作モードは、第１の動作モードであり、上記対応する電力閾値は、第１の電力閾値であり、上記第１の電力閾値は、各ドハティ電力増幅ユニットにおける各ピーク電力増幅器の初期動作電力より大きく、
上記ｎ個の入力信号の上記電力が上記電力閾値に達した場合、上記ｎ個の入力信号を、上記ｎ個の非アウトフェージング入力信号または上記ｎ個のアウトフェージング入力信号になるように調整する上記段階は、
上記ｎ個の入力信号の上記電力が上記第１の電力閾値に達した場合、上記ｎ個の入力信号を、上記ｎ個のアウトフェージング入力信号になるように調整する段階を含む、項目１８に記載の方法。
（項目２０）
上記方法はさらに、上記ｎ個の入力信号の上記電力が上記第１の電力閾値に達していない場合、上記ｎ個の入力信号を、上記ｎ個の非アウトフェージング入力信号になるように調整する段階を備える、項目１９に記載の方法。
（項目２１）
上記電力増幅器の上記動作モードは、第２の動作モードであり、上記対応する電力閾値は、第２の電力閾値であり、上記第２の電力閾値は、各ドハティ電力増幅ユニットにおける各ピーク電力増幅器の初期動作電力未満であり、
上記ｎ個の入力信号の上記電力が上記電力閾値に達した場合、上記ｎ個の入力信号を、上記ｎ個の非アウトフェージング入力信号または上記ｎ個のアウトフェージング入力信号になるように調整する上記段階は、
上記ｎ個の入力信号の上記電力が上記第２の電力閾値に達した場合、上記ｎ個の入力信号を、上記ｎ個の非アウトフェージング入力信号になるように調整する段階を含む、項目１８に記載の方法。
（項目２２）
上記方法はさらに、上記ｎ個の入力信号の上記電力が上記第２の電力閾値に達していない場合、上記ｎ個の入力信号を、上記ｎ個のアウトフェージング入力信号になるように調整する段階を備える、項目２１に記載の方法。
【図１】
0006611394.tif 000002
【図２】
0006611394.tif 000003
【図３】
0006611394.tif 000004
【図４】
0006611394.tif 000005
【図５】
0006611394.tif 000006
【図６Ａ】
0006611394.tif 000007
【図６Ｂ】
0006611394.tif 000008
【図７Ａ】
0006611394.tif 000009
【図７Ｂ】
0006611394.tif 000010
【図８】
0006611394.tif 000011
【図９】
0006611394.tif 000012
【図１０】
0006611394.tif 000013
【図１１】
0006611394.tif 000014